(57)【特許請求の範囲】
【請求項１】
吸込口と吹出口とを有する本体ケースと、
前記本体ケース内に設けた空気調和手段と、
前記本体ケースの側周面における一側面に対向するように設けられた板形状のパネルとからなり、
前記空気調和手段は、水を貯水できるタンク容器を有し、
前記タンク容器は、前記タンク容器内の水が透けて見える構成であり、
前記本体ケースの一側面には、前記タンク容器が見える窓を備え、
前記パネルは、前記本体ケースと所定の距離を設けて固定手段によって固定されると共に、透明であり、
前記固定手段は、
前記パネルから前記本体ケースの前記一側面側へ突出した凸部と、
前記凸部が嵌る前記本体ケースの前記一側面に設けた凹部とを有し、
前記凹部は弾力性のある材料で構成し、前記凸部は前記凹部に対して一部干渉した寸法関係にあり、前記凹部の材料はゴムであり、
前記本体ケースの前記一側面の下部には、前記一側面から前記パネルの下端より下方に所定の距離を有して延びる突起を備えたことを特徴とする空気調和装置。
【請求項２】
前記本体ケースの側周面における一側面は、表面に凹凸を有する模様部を有していることを特徴とする請求項１に記載の空気調和装置。
【請求項３】
前記パネルは、内面にシボ加工を施したことを特徴とする請求項１または２に記載の空気調和装置。
【請求項４】
前記パネルの材料が透過率の低いことを特徴とする請求項１または２に記載の空気調和装置。
【請求項５】
前記パネルは、外面に印刷を施したことを特徴とする請求項１から４のいずれかに記載の空気調和装置。
【請求項６】
前記本体ケースの前記一側面に表示部を設け、前記表示部は、前記本体ケース内に設けた発光部分と、前記発光部分の外方に備えた光を透過する導光部分とを有し、前記導光部分の内面には凹凸部を有することを特徴とする請求項１から５のいずれかに記載の空気調和装置。
【請求項７】
吸込口と吹出口とを有する本体ケースと、
前記本体ケース内に設けた空気調和手段と、
前記本体ケースの前記一側面に対向するように設けられた板形状のパネルとからなり、
前記本体ケースの前記一側面は平らな面を有し、
前記パネルは、前記本体ケースと所定の距離を設けて固定手段によって固定され透明であると共に内面に印刷で模様を施し、
前記固定手段は、
前記パネルから前記本体ケースの前記一側面側へ突出した凸部と、
前記凸部が嵌る前記本体ケースの前記一側面に設けた凹部とを有し、
前記凹部は弾力性のある材料で構成し、前記凸部は前記凹部に対して一部干渉した寸法関係にあり、前記凹部の材料はゴムであり、
前記本体ケースの前記一側面の下部には、前記一側面から前記パネルの下端より下方に所定の距離を有して延びる突起を備えたことを特徴とする空気調和装置。
【請求項８】
前記パネルは、前記本体ケースの前記一側面より一回り小さく、前記本体ケースの前記一側面側から見ると、前記パネルの外周に前記本体ケースの前記一側面の周縁部が見えることを特徴とする請求項１から７のいずれかに記載の空気調和装置。
【発明の詳細な説明】
【技術分野】
【０００１】
本発明は、本体の側周面に、パネルを備えた空気調和装置に関する。
【背景技術】
【０００２】
従来のこの種の空気調和装置の構成は、以下のようになっていた。
【０００３】
すなわち、吸込口と吹出口とを有する本体ケースと、本体ケース内に設けた空気調和手段とからなり、本体ケースの前面には、塗装を施していた。
【先行技術文献】
【特許文献】
【０００４】
【特許文献１】特開２０１１−９９６２５号公報
【発明の概要】
【発明が解決しようとする課題】
【０００５】
上記従来例における課題は、空気調和装置における高級感を更に向上させるということであった。
【０００６】
従来の物においては、本体ケースの前面には、塗装を施していた。この塗装の色彩、光沢に変化を付けることでしかデザインを変化させることができず、更なる高級感の向上が困難であった。
【０００７】
そこで本発明は、空気調和装置における更なる高級感の向上を目的とするものである。
【課題を解決するための手段】
【０００８】
そして、この目的を達成するために、本発明は、吸込口と吹出口とを有する本体ケースと、前記本体ケース内に設けた空気調和手段と、前記本体ケースの側周面における一側面に対向するように設けられた板形状のパネルとからなり、前記空気調和手段は、水を貯水できるタンク容器を有し、前記タンク容器は、前記タンク容器内の水が透けて見える構成であり、前記本体ケースの一側面には、前記タンク容器が見える窓を備え、前記パネルは、前記本体ケースと所定の距離を設けて固定手段によって固定されると共に、透明であり、前記固定手段は、前記パネルから前記本体ケースの前記一側面側へ突出した凸部と、前記凸部が嵌る前記本体ケースの前記一側面に設けた凹部とを有し、前記凹部は弾力性のある材料で構成し、前記凸部は前記凹部に対して一部干渉した寸法関係にあり、前記凹部の材料はゴムであり、前記本体ケースの前記一側面の下部には、前記一側面から前記パネルの下端より下方に所定の距離を有して延びる突起を備えたことを特徴としたものであり、これにより所期の目的を達成するものである。
【発明の効果】
【０００９】
本発明によれば、吸込口と吹出口とを有する本体ケースと、前記本体ケース内に設けた空気調和手段と、前記本体ケースの側周面における一側面に対向するように設けられた板形状のパネルとからなり、前記空気調和手段は、水を貯水できるタンク容器を有し、前記タンク容器は、前記タンク容器内の水が透けて見える構成であり、前記本体ケースの一側面には、前記タンク容器が見える窓を備え、前記パネルは、前記本体ケースと所定の距離を設けて固定手段によって固定されると共に、透明であり、前記固定手段は、前記パネルから前記本体ケースの前記一側面側へ突出した凸部と、前記凸部が嵌る前記本体ケースの前記一側面に設けた凹部とを有し、前記凹部は弾力性のある材料で構成し、前記凸部は前記凹部に対して一部干渉した寸法関係にあり、前記凹部の材料はゴムであり、前記本体ケースの前記一側面の下部には、前記一側面から前記パネルの下端より下方に所定の距離を有して延びる突起を備えたことを特徴としたものである。
【００１０】
このように、パネルは、本体ケースと所定の距離を設けて固定手段によって固定されると共に、透明である。ここで、本体ケースの側周面における一側面に対してに光が当たるとき、透明パネルが所定の距離を設けることにより、透明樹脂と空気による屈折率の違いから、ぼやけて見えるため、立体感が向上し、本体ケースにおける一側面側からパネルを介して、タンク容器内に水どれだけあるかを見ることができる。また、空気調和装置を移動させる際にパネル単体を持ちあげることを防ぐことが出来るため、パネルが外れて空気調和装置が落下することを防ぐことができる。
【００１１】
結果として、空気調和装置における高級感を更に向上することができる。
【図面の簡単な説明】
【００１２】
【図１】本発明の実施の形態１の加湿装置を示す斜視図
【図２】本発明の実施の形態１の加湿装置を示す展開図
【図３】本発明の実施の形態１の加湿装置を示す詳細断面図
【図４】本発明の実施の形態１の加湿装置を示す斜視図
【図５】本発明の実施の形態１の加湿装置を示す側面断面図
【図６】本発明の実施の形態１の加湿装置のパネル固定部の詳細断面図
【図７】本発明の実施の形態１の加湿装置のパネル下部の詳細側面図
【発明を実施するための形態】
【００１３】
以下、本発明の実施の形態について図面を参照しながら説明する。
【００１４】
（実施の形態１）
図１は、本発明の実施の形態１の空気調和装置を示す斜視図である。図２は、本発明の実施の形態１の空気調和装置を示す展開図である。
【００１５】
図１、図２に示すように空気調和装置は、本体ケース１と、本体ケース１内に設けられた後述する空気調和手段と、パネル２とを備えている。
【００１６】
本体ケース１は、横長の箱形状である。本体ケース１の外周面の他側面（背面）には吸込口（図示せず）が備えられている。本体ケース１の天面における本体ケース１の前面から見て左側には、吹出口３が備えられている。
【００１７】
空気調和手段の１例は、加湿部である。加湿部は、貯水容器４と、加湿フィルタ―５と、タンク部６と、送風機（図示せず）とを有している。
【００１８】
貯水容器４は、上面が開口した椀形状で、本体ケース１内に着脱自在に設けられている。貯水容器４の本体ケース１の前面から見て左側には、加湿フィルタ―５が装着され、貯水容器４の本体ケース１の前面から見て右側には、タンク部６が装着される。タンク部６から供給された水が、貯水容器４内に所定の量だけ溜まる。
【００１９】
加湿フィルタ―５は、貯水容器４内に溜まった水に下端部が浸漬するように、貯水容器４に装着されている。加湿フィルタ―５は、貯水容器４内に溜まった水を吸い上げ、加湿フィルタ―５全体が湿った状態になる。
【００２０】
タンク部６は、水を貯水できるタンク容器１７と、タンク容器１７の一方側に設けられたタンク取手１８と、タンク容器１７の他方側に備えた加湿部分へ水を供給するタンク給水機構１９とから形成されている。
【００２１】
送風機は、加湿フィルタ―５の上方に設けられている。モータと、モータによって回転する羽根とから構成している。
【００２２】
続いて、加湿装置における空気の流れを説明する。吸込口と吹出口３とを連通する風路には、吸込口、加湿フィルタ―５、送風機、吹出口３が順に配置されている。送風機によって、本体ケース１外の空気が、吸込口から吸い込まれ、加湿フィルタ―５へ送風される。この加湿フィルタ―５を通過することによって、湿った空気となる。この湿った空気が、送風機を介し、吹出口３から室内へ送風される。なお、空気調和手段は、加湿部でなくてもよく、除湿部、空気清浄部でもよい。
【００２３】
図３は、本発明の実施の形態１の詳細断面図に示している。図３は、本体ケース１における右側から見た断面図である。図４は、本発明の実施の形態１の空気調和装置を示す斜視図である。図４は、本体ケース１からパネル２を外した斜視図である。
【００２４】
図３、図４に示すように、本実施の形態における特徴は、本体ケース１の一側面（前面）とパネル２である。具体的には、パネル２は、透明の板形状であり、本体ケース１の側周面における一側面（前面）に対向し、本体ケース１と所定の距離を設けて固定されており、パネル２は本体ケース１に対して着脱可能な状態で固定されている。
【００２５】
以上の構成において、一側面（前面）に光が当たると、透明パネルが所定の距離を設けることにより、透明樹脂と空気の屈折率の違いから一側面（前面）が少しぼやけて見えるため、立体感が向上する。
【００２６】
ここで、パネル２の端部を他の不透明樹脂で覆っていないこと、ならびに本体ケース１の一側面（前面）とパネル２の間の空間が解放されていることにより、パネル２に対して側面側からはいった光に対しては、正面から入った光と屈折経緯が異なっているため、光の強弱が発生し、その結果より奥行き感を向上させることができる。
【００２７】
また、本体ケース１の一側面（前面）には、凹凸を有する模様部１５を有している。本体ケース１の一側面（前面）は樹脂成型で作られている。すなわち、本体ケース１の一側面（前面）は、樹脂成型用の金型に凹凸を入れることによって、模様部１５と一体で作られている。
【００２８】
ここで、一側面（前面）の凹凸を有する模様部１５により、その端面による影がぼやけて見えるため、この影と凹凸を有する模様部１５とを透明のパネル２を透して見ると、立体感が更に向上する。
【００２９】
また、パネル２は、内面にシボ加工を施されている。これにより、本体ケース１の一側面（前面）に設けた凹凸の端部がさらにぼかした状態で見えるため、さらに立体感を向上させることが出来る。
【００３０】
また、パネル２の材質として、透過率の高いアクリルが考えられるが、透過率の低い透明ポリプロピレン等を用いることにより、凹凸の端部をさらにぼかすことができ、奥行き感を向上させることができる。
【００３１】
また、パネル２は、外面に印刷を施されている。これにより、前記シボ加工によって印刷内容の視認性を妨げられることが無く、より明確に印字内容を表示することが出来る。
【００３２】
また、本体ケース１の一側面（前面）には、本体ケース１のタンク部６が見える窓１６を備えている。タンク部６は、タンク部６のタンク容器１７は半透明の樹脂で作られているので、タンク容器１７内の水が透けて見えるものである。ここで、パネル２は、透明の板形状であり、本体ケース１の側周面における一側面（前面）に対向し、本体ケース１と所定の距離を設けて固定されており、本体ケース１における前面側からパネル２を介して、窓１６が見える。つまり、本体ケース１における前面側からパネル２を介して、タンク容器１７内に水どれだけあるかを見ることができる。
【００３３】
図５は、本発明の実施の形態１の加湿装置を示す側面断面図である。図５は、本体ケース１における右側から見た断面図である。
【００３４】
図５に示すように、本体ケース１の一側面に表示部８を設けている。表示部８は、本体ケース１内に設けた発光部９と、前記発光部９の外方に備えた光を透過する導光部１０とを有している。導光部１０の内面表面は凹凸形状を有している。
【００３５】
すなわち、導光部１０に設けている凹凸形状により、発光部９から発光した光を拡散し、本体ケース１の側周面における一側面が有しているシボにより、さらに光を拡散させることにより広範囲から光を確認することができる。
【００３６】
また、パネル２の外側に、表示部８の内容を説明するための印刷を実施している。このことにより、パネル２のシボ加工によって印刷内容がぼやける問題もなく、明確に使用者に印字内容を指示することができる。
【００３７】
また、パネル２は、本体ケース１の一側面（前面）より一回り小さく、本体ケース１の一側面側（前面側）から見ると、パネル２の外周に本体ケース１の一側面の周縁部が見える。
【００３８】
すなわち、空気調和装置を移動させる際にパネル２単体を持って移動させた場合、パネル２が外れて空気調和装置が落下するおそれがあるが、この特徴により、パネル２単体を持たれる可能性を低減させることができる。また、本体ケース１の一側面側（前面側）から見ると、パネル２の外周に本体ケース１の一側面の周縁部が見えるので、立体感がでる。
【００３９】
図６は、本発明の実施の形態１の加湿装置のパネル固定部の詳細断面図である。
【００４０】
図６に示すように、固定手段は、パネル２から本体ケース１の前面側へ突出した凸部１１と、凸部１１が嵌る本体ケース１の一側面（前面）に設けた凹部１２とを有しており、凸部１１は、パネル２に対して凸部固定具１３に固定され、凹部１２は本体ケース１の一側面（前面）に対して固定されている。
【００４１】
そして、凸部１１と凹部１２が着脱可能な状態で保持されていることにより、パネル２を本体ケース１に対して着脱可能な状態で保持している。
【００４２】
ここで、凹部１２の材料として、ゴムやエラストマー等の弾性を有する材料を使用し、凸部１１が凹部１２の一部を干渉する寸法を有することにより、本体ケース１に対してパネル２を適度な保持力で保持することが可能となるため、複雑な作業を行うことなく着脱を実施することが可能となる。
【００４３】
また、図７は本発明の実施の形態１におけるパネル２の下部詳細側面図である。
【００４４】
図７に示すように、本体ケース１の一側面の下部には、一側面からパネル２の下端より下方に延びる突起１４を備えている。
【００４５】
これにより、空気調和装置を移動させる際にパネル２単体を持ちあげることを防ぐことが出来るため、パネル２が外れて空気調和装置が落下することを防ぐことができる。
【産業上の利用可能性】
【００４６】
本発明にかかる空気調和装置は、吸込口と吹出口とを有する本体ケースと、前記本体ケースの側周面における一側面に対向するように設けられた板形状のパネルとからなり、前記パネルは、前記本体ケースと所定の距離を設けて固定手段によって固定されると共に、透明であることを特徴することで、一側面に光が当たると、空気とパネルの屈折率の違いからぼやけたように見えるため、立体感が更に向上させることを可能とするものであるので、家庭用や事務所用に使用される空気調和装置等として有用である。
【符号の説明】
【００４７】
１  本体ケース
２  パネル
３  吹出口
４  貯水容器
５  加湿フィルタ―
６  タンク部
８  表示部
９  発光部
１０  導光部
１１  凸部
１２  凹部
１３  凸部固定具
１４  突起
１５  模様部
１６  窓
１７  タンク容器
１８  タンク取手
１９  タンク給水機構
【図１】
0006511634.tif 000002
【図２】
0006511634.tif 000003
【図３】
0006511634.tif 000004
【図４】
0006511634.tif 000005
【図５】
0006511634.tif 000006
【図６】
0006511634.tif 000007
【図７】
0006511634.tif 000008